(57)【要約】【課題】  多数の注入管で形成される線材の誘導軌道を遠隔操作で任意に変更でき、したがって厄介で危険な交換作業を必要としない、ポーリングリールへの注入管装置を提供する。【解決手段】  熱間圧延した線材をポーリングリールへ巻取るときに該ポーリングリールの直前に設置する注入管装置であって、多数の注入管を一つ又は二つ以上の注入管からなる複数のブロックに分割し、各ブロック毎で一つ又は二つ以上の注入管を機枠にシリンダ筒を取付けたエアシリンダのシリンダロッドに支持して、各シリンダロッドのストロークを制御することにより、多数の注入管で形成される線材の誘導軌道を変更し得るようにした。【選択図】          図１
2005211913.tif 000002
【特許請求の範囲】
【請求項１】
熱間圧延した線材をポーリングリールへ巻取るときに該ポーリングリールの直前に設置する注入管装置であって、多数の注入管が一つ又は二つ以上の注入管からなる複数のブロックに分割されており、各ブロック毎で一つ又は二つ以上の注入管が機枠にシリンダ筒の取付けられたエアシリンダのシリンダロッドに支持されていて、各シリンダロッドのストロークを制御することにより、多数の注入管で形成される線材の誘導軌道を変更し得るようにして成るポーリングリールへの注入管装置。
【請求項２】
各ブロック毎で一つの注入管がシリンダロッドに支持された請求項１記載のポーリングリールへの注入管装置。
【発明の詳細な説明】
【技術分野】
【０００１】
本発明はポーリングリールへの注入管装置に関する。熱間圧延した線材をポーリングリールへ巻取るとき、該ポーリングリールの直前に注入管装置を設置して、該注入管装置で線材を誘導する。本発明はかかる注入管装置の改良に関する。
【背景技術】
【０００２】
熱間圧延した線材を巻取るポーリングリールは公知である（例えば特許文献１参照）。また熱間圧延した線材をポーリングリールへ巻取るとき、該ポーリングリールの直前に、該線材を誘導する注入管装置を設置することも公知である（例えば特許文献２）。従来、かかる注入管装置として、多数の注入管を、それらが全体として所定カーブの誘導軌道を形成するよう機枠に支持したものが使用されている。多数の注入管で形成される誘導軌道はポーリングリールへ巻取る線材の巻形状、特に巻径に応じたものとする必要があるため、従来は、誘導軌道の異なる複数の注入管装置を用意しておき、ポーリングリールへ巻取る線材の巻形状、特に巻径に応じて、用いる注入管装置を手作業で交換している。
【０００３】
しかし、前記のような従来の注入管装置は、もともとその設置スペースが狭く、またそれ自体が相当の重量に富むものであるため、その交換作業が誠に厄介であり、しかもその直後にはポーリングリールを設置するための深いピットが形成されているため、その交換作業が危険でもある。
【特許文献１】特開２００３−８０３１４号公報
【特許文献２】特開２００１−１５１４１６号公報
【発明の開示】
【発明が解決しようとする課題】
【０００４】
本発明が解決しようとする課題は、多数の注入管で形成される線材の誘導軌道を遠隔操作で任意に変更できる注入管装置を提供する処にある。
【課題を解決するための手段】
【０００５】
前記の課題を解決する本発明は、熱間圧延した線材をポーリングリールへ巻取るときに該ポーリングリールの直前に設置する注入管装置であって、多数の注入管が一つ又は二つ以上の注入管からなる複数のブロックに分割されており、各ブロック毎で一つ又は二つ以上の注入管が機枠にシリンダ筒の取付けられたエアシリンダのシリンダロッドに支持されていて、各シリンダロッドのストロークを制御することにより、多数の注入管で形成される線材の誘導軌道を変更し得るようにして成るポーリングリールへの注入管装置に係る。
【０００６】
本発明に係るポーリングリールへの注入管装置（以下、単に本発明の注入管装置という）は、多数の注入管と、複数のエアシリンダと、機枠とを備えている。多数の注入管は一つ又は二つ以上の注入管からなるブロックに分割されており、また複数のエアシリンダはそのシリンダ筒が機枠に取付けられていて、各ブロック毎で、分割された一つ又は二つ以上の注入管が各エアシリンダのシリンダロッドに支持されている。そして各シリンダロッドのストロークを制御することにより、多数の注入管で形成される線材の誘導軌道を変更し得るようになっている。
【０００７】
本発明の注入管装置において、各注入管は通常、入口側がやや広径のラッパ状に形成された短管からなっており、かかる注入管の多数を１列の全体として湾曲状に並べることにより、これらの注入管で線材の誘導軌道が形成されるようになっている。かかる多数の注入管は一つ又は二つ以上の単位で複数のブロックに分割されており、各ブロック毎で進退するようになっているが、注入管の一つづつをブロックとし、したがって各注入管毎で進退するようになっているものが好ましい。より円滑な誘導軌道を形成して、線材をより円滑に誘導することができるからである。注入管の進退手段としてはエアシリンダを用いる。熱間圧延した線材をポーリングリールへと誘導するのであるから、油圧シリンダは不向きである。各エアシリンダのシリンダロッドのストロークを制御することにより、各シリンダロッドに支持した一つ又は二つ以上の注入管の進退距離を調節し、よってかかる注入管で形成される線材の誘導軌道を変更する。例えば、各エアシリンダのシリンダ筒に接続した圧縮空気供給管のそれぞれに電磁弁を介装し、各電磁弁の開閉を遠隔操作することにより、各シリンダ筒に供給する圧縮空気量を調節して、各シリンダロッドのストロークを制御するのである。
【発明の効果】
【０００８】
本発明の注入管装置では、多数の注入管で形成される線材の誘導軌道を遠隔操作で任意に変更できる。したがって本発明の注入管装置によると、ポーリングリールへ巻取る線材の巻径に応じて用いる注入管装置を手作業で交換する必要はなく、線材の誘導軌道の変更作業が簡便であり、安全である。
【発明を実施するための最良の形態】
【０００９】
図１は本発明の注入管装置を例示する一部省略の平面図である。図１の注入管装置では、左側が線材の入口側に相当しており、右側が線材の出口側、すなわち図示しないポーリングリール側に相当していて、入口側の一部と出口側の一部とが省略されている。帯状の機枠１１にエアシリンダ２１〜２６のシリンダ筒３１〜３６が所定間隔で取付けられており、エアシリンダ２１〜２６のシリンダ筒３１〜３６は、またエアシリンダ２１〜２６のシリンダロッド４１〜４６も、入口側から出口側へと向かい順次に長尺なものとなっている。各シリンダロッド４１〜４６の端部には連結具５１〜５６が取付けられており、各連結具５１〜５６には二つの注入管６１，６１が支持されていて、多数の注入管６１，６１・・は全体として所定間隔で一列に配列されている。多数の注入管６１，６１・・は二つが一つのブロックを形成しており、各ブロック毎で二つの注入管６１，６１がエアシリンダ２１〜２６のシリンダロッド４１〜４６に連結具５１〜５６を介して支持されていて、これらの注入管６１，６１・・が全体として線材Ａの誘導軌道を形成しているのである。
【００１０】
各シリンダ筒３１〜３６には図示しない圧縮空気供給管が接続されており、各圧縮空気供給管には電磁弁７１〜７６が介装されていて、各電磁弁７１〜７６の開閉を遠隔操作することにより、各シリンダロッド４１〜４６の前進距離すなわちストロークを制御するようになっている。図１の注入管装置では、入口側から出口側へと向かい、電磁弁７１〜７６の開き時間を順次に長くなるよう調節し、シリンダ筒３１〜３６に供給する圧縮空気量を順次に多くなるよう調節して、これによりシリンダロッド４１〜４６のストロークを順次に長くなるよう突出させ、これらのシリンダロッド４１〜４６の端部に連結具５１〜５６を介して支持した多数の注入管６１，６１・・も二つを一つのブロックとして順次に長くなるよう突出させて、これらの注入管６１，６１・・により全体として所望通りの湾曲状の誘導軌道を形成している。
【００１１】
図２は本発明の他の注入管装置を例示する一部省略の平面図である。図２の注入管装置も、左側が線材の入口側に相当しており、右側が線材の出口側、すなわち図示しないポーリングリール側に相当していて、入口側の一部と出口側の一部とが省略されている。帯状の機枠１１ａにエアシリンダ２１ａ〜２６ａのシリンダ筒３１ａ〜３６ａが所定間隔で取付けられており、エアシリンダ２１ａ〜２６ａのシリンダ筒３１ａ〜３６ａは、またエアシリンダ２１ａ〜２６ａのシリンダロッド４１ａ〜４６ａも、入口側から出口側へと向かい順次に長尺なものとなっている。各シリンダロッド４１ａ〜４６ａの端部には連結具５１ａ〜５６ａが取付けられており、各連結具５１ａ〜５６ａには一つの注入管６１ａが支持されていて、多数の注入管６１ａ，６１ａ・・は全体として所定間隔で一列に配列されている。多数の注入管６１ａ，６１ａ・・は各注入管６１ａ毎でエアシリンダ２１ａ〜２６ａのシリンダロッド４１ａ〜４６ａに連結具５１ａ〜５６ａを介して支持されており、これらの注入管６１ａ，６１ａ・・が全体として線材Ｂの誘導軌道を形成しているのである。
【００１２】
各シリンダ筒３１ａ〜３６ａには図示しない圧縮空気供給管が接続されており、各圧縮空気供給管には電磁弁７１ａ〜７６ａが介装されていて、各電磁弁７１ａ〜７６ａの開閉を遠隔操作することにより、各シリンダロッド４１ａ〜４６ａの前進距離すなわちストロークを制御するようになっている。図２の注入管装置では、入口側から出口側へと向かい、電磁弁７１ａ〜７６ａの開き時間を順次に長くなるよう調節し、シリンダ筒３１ａ〜３６ａに供給する圧縮空気量を順次に多くなるよう調節して、これによりシリンダロッド４１ａ〜４６ａのストロークを順次に長くなるよう突出させ、これらのシリンダロッド４１ａ〜４６ａの端部に連結具５１ａ〜５６ａを介して支持した多数の注入管６１ａ，６１ａ・・も順次に長くなるよう突出させて、これらの注入管６１ａ，６１ａ・・により全体として所望通りの湾曲状の誘導軌道を形成している。
【図面の簡単な説明】
【００１３】
【図１】本発明の注入管装置を例示する一部省略の平面図。
【図２】本発明の他の注入管装置を例示する一部省略の平面図。
【符号の説明】
【００１４】
１１，１１ａ  機枠
２１〜２６，２１ａ〜３６ａ  エアシリンダ
３１〜３６，３１ａ〜３６ａ  シリンダ筒
４１〜４６，４１ａ〜４６ａ  シリンダロッド
５１〜５６，５１ａ〜５６ａ  連結具
６１，６１ａ  注入管
７１〜７６，７１ａ〜７６ａ  電磁弁
Ａ，Ｂ  線材
【図１】
2005211913.tif 000003
【図２】
2005211913.tif 000004